(57)【要約】【課題】信頼性が高く低コストで製造できるボールジョイントを提供することを目的とする。【解決手段】ボールジョイント１０は、円柱状のスタッド部１１０と、側面が球状でかつ中心をスタッド部１１０の軸線Ｏ上に位置させるボール部１２０とを有するボールスタッド１００と、ボール部１２０の側面の形状と相似形状の球部３１０を有しかつ中心をスタッド部１１０の軸線Ｏ上に位置させ、ボール部１２０を覆う樹脂製の樹脂ボール部材３００と、樹脂ボール部材３００と相対回転自在にかつ揺動自在に嵌合する球面状の凹部２１２を有するボールシート２１０とを備える。【選択図】図２
2009250251.tif 000002
【特許請求の範囲】
【請求項１】
円柱状のスタッド部と、側面が球状でかつ中心を前記スタッド部の軸線上に位置させるボール部とを有するボールスタッドと、
前記ボール部の側面の形状と相似形状の球部を有しかつ中心を前記スタッド部の軸線上に位置させ、前記ボール部を覆う樹脂製の樹脂ボール部材と、
前記樹脂ボール部材と相対回転自在にかつ揺動自在に嵌合する球面状の凹部を有するボールシートと
を備えることを特徴とするボールジョイント。
【請求項２】
前記ボールスタッドは、一体成形されており、表面全体に防錆コーティングされることを特徴とする請求項１に記載のボールジョイント。
【請求項３】
前記球部の厚さは、０．５ｍｍ〜２．０ｍｍの範囲内であることを特徴とする請求項１に記載のボールジョイント。
【請求項４】
前記スタッド部は、前記ボール部側にテーパー部を有し、
前記樹脂ボール部材は、前記ボール部の上側を覆うとともに、前記テーパー部を覆う上部を有し、
前記上部の厚さは、前記球部の厚さより厚いことを特徴とする請求項１に記載のボールジョイント。
【請求項５】
前記凹部に異物が侵入するのを防止するダストカバーと、
前記ダストカバーの内側に充填されるグリースと
を備えることを特徴とする請求項１に記載のボールジョイント。
【請求項６】
前記凹部にグリース潤滑のためのグリース流通路を設けることを特徴とする請求項１に記載のボールジョイント。
【請求項７】
前記樹脂ボール部材は、上側に形成された平坦な上部フラット部と、下側に形成された平坦な下部フラット部とを有することを特徴とする請求項１に記載のボールジョイント。
【請求項８】
前記ボール部の表面に、前記ボール部と前記樹脂ボール部材とのずれを防止する凹凸部を設けることを特徴とする請求項１に記載のボールジョイント。
【請求項９】
金属材料を加工してボールスタッドのスタッド部およびボール部を一体成形する成形工程と、
前記成形工程の後、前記ボールスタッドの表面全体に防錆コーティングする防錆コーティング工程と、
前記防錆コーティング工程の後、前記ボールスタッドのボール部を樹脂ボール部材で覆う樹脂成形工程と
を具備することを特徴とするボールジョイントの製造方法。
【発明の詳細な説明】
【技術分野】
【０００１】
本発明は、自動車等の車両に搭載されるスタビライザーに備えられるボールジョイントおよびその製造方法に関する。
【背景技術】
【０００２】
例えば車両の懸架機構部におけるスタビライザーとショックアブソーバとの接続部や、スタビライザーとサスペンションアームとの接続部などのように、互いに相対変位する２つの部分を回転可能にかつ揺動可能に接続するために、例えば特許文献１に記載されているようなボールジョイントが用いられている。
【０００３】
特許文献１のボールジョイントは、スタッド部およびボール部を有するボールスタッドと、ボールスタッドのボール部が圧入されベアリング機能を有するボールシートと、ボールシートを圧入するハウジング部と、ボールシートとボールスタッドのボール部との間で行われる摺動および揺動運動を阻害する異物が侵入しないようにダストカバーを備えていた。
【０００４】
従来のボールジョイントは、ダストカバーから露出するボールスタッドのねじ部や取り付けフランジ部の耐食のために、表面処理を施工するニーズがあった。例えば、従来のボールジョイントは、ボールスタットが一体成形されているため、ボール部も含め、表面全体をコーティングしていた。そして、ボール部において、必要表面粗度が損なわれるため、ボール部のみ、切削などで表面処理を剥離し、転造などの研磨工程にて再度表面仕上げをし、要求粗度を満たす必要があった。
【特許文献１】特開２００３−８３３２１号公報
【発明の開示】
【発明が解決しようとする課題】
【０００５】
しかしながら、特許文献１に記載のボールジョイントでは、ボール部の表面処理の要求がなければ、そのまま部品として使用できるボールスタッドを表面処理した後、ボール部のみを再度表面仕上げをするためのコーティングコストに加え、ねじ部をチャックすることによりねじ部を損傷しないためのチャック条件を整えることが困難となっていた。そのため、再度の表面仕上げをするボールスタッドの製造コストは、表面処理しないボールスタッドを製造する製造コストに比べて、高額となっていた。
【０００６】
一方、一体成形されたボールスタッドではなく、抵抗溶接などでスタッド部とボール部とを接合するボールスタッドでは、スタッド部のみの段階でスタッド部全体の表面加工を施工し、その後ボール部と接合するため、前述のボールスタッドを一体成型した場合における煩雑さはないが、接合部品となるため、接合部の強度を確保するための接合条件管理が困難であるとともに、信頼性の確保に不安を残していた。
【０００７】
そこで本発明は、信頼性が高く低コストで製造できるボールジョイントを提供することを目的とする。
【課題を解決するための手段】
【０００８】
本発明のボールジョイントは、円柱状のスタッド部と、側面が球状でかつ中心を前記スタッド部の軸線上に位置させるボール部とを有するボールスタッドと、前記ボール部の側面の形状と相似形状の球部を有しかつ中心を前記スタッド部の軸線上に位置させ、前記ボール部を覆う樹脂製の樹脂ボール部材と、前記樹脂ボール部材と相対回転自在にかつ揺動自在に嵌合する球面状の凹部を有するボールシートとを備えることを特徴とする。
【０００９】
本発明によれば、樹脂ボール部材の離型後の熱収縮量が樹脂ボール部材の球部上でばらつき、樹脂ボール部材がゆがむのを防止することができる。そのため、球部の厚さが均一となり、樹脂ボール部材の真球度を高めることができる。その結果、重要特性であるトルクを得ることができ、樹脂ボール部材が滑らかに摺動および揺動運動することができる。また、球部の厚さが均一となるため、樹脂ボール部材とボールシートとの間で樹脂ボール部材が摺動および揺動運動することによる摩擦熱によって、樹脂ボール部材の一部分が高温になるのを防止する。その結果、樹脂ボール部材の溶解などのトラブルを防止することができる。つまり、信頼性を高めることができる。
【００１０】
本発明において、前記ボールスタッドは、一体成形されており、表面全体に防錆コーティングされることが望ましい。
【００１１】
本発明によれば、一体成形されているため、ボールスタッドの強度を維持することができる。また、表面全体に防錆コーティングされているため、ボールスタッドの地肌が露出している部分がなくなり、ボールスタッドに水や塩水などが付着した場合でも、ボールスタッドが錆びるのを防止することができる。その結果、錆などによりボールスタッドが破損するのを防止することができる。つまり、信頼性を高めることができる。
【００１２】
本発明において、前記球部の厚さは、０．５ｍｍ〜２．０ｍｍの範囲内であることが望ましい。
【００１３】
本発明によれば、球部の厚さを所定の厚さにすることによって、樹脂ボール部材とボールシートとの間で樹脂ボール部材が摺動および揺動運動することによる摩擦熱を速やかに内包するボール部に伝え、ボールシート外にあるボールスタッドのスタッド部から放熱する。その結果、樹脂ボール部材が高温になるのを抑制し、樹脂ボール部材の溶解などのトラブルを防止することができる。
【００１４】
本発明において、前記スタッド部は、前記ボール部側にテーパー部を有し、前記樹脂ボール部材は、前記ボール部の上側を覆うとともに、前記テーパー部を覆う上部を有し、前記上部の厚さは、前記球部の厚さより厚いことが望ましい。
【００１５】
本発明によれば、ボールスタッドをボールシートから引き抜く方向に働く外力などに抗する。そのため、ボールスタッドがボールシートから外れにくい。その結果、ボールスタッドがボールシートから外れるのを防止することができる。
【００１６】
本発明において、前記凹部に異物が侵入するのを防止するダストカバーと、前記ダストカバーの内側に充填されるグリースとを備えることが望ましい。
【００１７】
本発明によれば、グリースがボールスタッドのスタッド部を覆う状態となる。そのため、ボールスタッドが放熱する際に、ダストカバー内においても、空気を介してダストカバーから外界へという具合に断熱性の高い空気を媒介にするのではなく、グリースを介して伝熱するため、ボールスタッドの熱をダストカバーの内側から外界へ効率的に放熱することができる。
【００１８】
本発明において、前記凹部にグリース潤滑のためのグリース流通路を設けることが望ましい。
【００１９】
本発明によれば、グリース流通路に充填されたグリースが樹脂ボール部材の上下に形成された空間間を樹脂ボール部材の側面のグリース流通路を伝いながら行きかう。そのため、グリースが奪った熱を放熱し、また、熱を吸収するという熱循環の働きをする。その結果、樹脂ボール部材が溶解するのを防止する。
【００２０】
本発明において、前記樹脂ボール部材は、上側に形成された平坦な上部フラット部と、下側に形成された平坦な下部フラット部とを有することが望ましい。
【００２１】
本発明によれば、樹脂ボール部材を可能な限り小さく形成することができる。そのため、ボールスタッドをボールシートの底部側へ寄せて配置することができる。その結果、ボール部の中心を所定の位置に配置することができる。
【００２２】
本発明において、前記ボール部の表面に、前記ボール部と前記樹脂ボール部材とのずれを防止する凹凸部を設けることが望ましい。
【００２３】
凹凸部としては、ショットブラストまたはショットピーニングにより粗度劣化される、または、窪みを設ける、または、突起を設ける、または、ライン突起を設ける、または、ライン溝を設けることなどが挙げられる。
【００２４】
本発明によれば、アンカー効果を利用して、樹脂ボール部材を安定的に固定するとともに、回転方向でのボール部と樹脂ボール部材とのずれを防止する。その結果、ボールジョイントの信頼性を高めることができる。
【００２５】
本発明のボールジョイントの製造方法は、金属材料を加工してボールスタッドのスタッド部およびボール部を一体成形する成形工程と、前記成形工程の後、前記ボールスタッドの表面全体に防錆コーティングする防錆コーティング工程と、前記防錆コーティング工程の後、前記ボールスタッドのボール部を樹脂ボール部材で覆う樹脂成形工程とを具備することを特徴とする。
【００２６】
本発明によれば、ボール部を樹脂ボール部材で覆うことによって、鋼製のボールスタッドの表面処理を行ってもその後にボール部の仕上げなど、ボールスタッドに対する工程が樹脂成形工程以外不要になる。そのため、煩雑な工程を省くことができる。その結果、低コストでボールジョイントを製造することができる。また、防錆コーティング工程の後に樹脂成形工程を行うため、ボールスタッドの地肌が露出している部分がなくなり、錆に対して耐性のあるボールジョイントを構成することができる。そのため、錆によりボールシートの凹部が摩耗し、がたが発生するのを防止することができる。その結果、信頼性の高いボールジョイントを製造することができる。
【発明の効果】
【００２７】
本発明によれば、信頼性が高いボールジョイントを低コストで製造できる。
【発明を実施するための最良の形態】
【００２８】
（ボールジョイントの構成）
以下、本発明の一実施形態について図面を参照して説明する。図１は、ボールジョイントを示す図である。図２は、ボール部の周辺を拡大して示す拡大図である。図３は、ボールスタッドの第１の変形例を示す図である。図４は、ボールスタッドの第２の変形例を示す図である。図５は、ボールスタッドの第３の変形例を示す図である。図６は、ボールシートを示す斜視図である。
【００２９】
ボールジョイント１０は、図１に示すように、ボールスタッド１００と、軸支部材２００と、樹脂ボール部材３００と、ダストカバー４００などを備えている。このボールジョイント１０は、ボールスタッド１００と、このボールスタッド１００をユニバーサルに軸支する軸支部材２００とを主体として構成され、図示省略した板状の取付部材に固定される。ボールジョイント１０は、車両用スタビライザーの接続部などに用いられる。
【００３０】
ボールスタッド１００は、図２に示すように、円柱状のスタッド部１１０の一端部にボール部１２０が形成されたものである。ボールスタッド１００には、スタッド部１１０の軸方向中間部に鍔状のフランジ部１３０およびダストカバー４００のずれを止める凸部１５０が形成されている。また、ボールスタッド１００には、スタッド部１１０のフランジ部１３０から先端側、すなわちボール部１２０とは反対側の周面にねじ部１４０が形成され、ボール部１２０側にテーパー部１６０が形成されている。ボール部１２０の中心は、スタッド部１１０の軸線Ｏ上に位置している。ボールスタッド１００は、鋼などの金属材料により形成されている。
【００３１】
ボール部１２０は、側面が球状である。また、ボール部１２０は、所定の設計要求値である球径より直径１．０〜４．０ｍｍ小さい球径に形成されている。ボール部１２０の表面は、ショットブラストまたはショットピーニングにより人為的に必要な表面粗度（Ｒａ２．０〜１０．０）（凹凸部）を確保している。これにより、アンカー効果を利用して、樹脂ボール部材３００を安定的に固定するとともに、回転方向でのボール部１２０と樹脂ボール部材３００とのずれを防止している。その結果、ボールジョイント１０の信頼性を高めることができる。
【００３２】
なお、ボール部１２０の表面をショットブラストまたはショットピーニングで必要な表面粗度にする実施形態に限らず、図３に示すように小さな窪み（凹凸部）５２１をボール部５２０の表面に配してもよいし、図４に示すように逆に小さな突起（凹凸部）６２１をボール部６２０の表面に設けてもよい。あるいは、図５に示すように経度方向に複数のライン溝（凹凸部）７２１またはライン突起（凹凸部）をボール部７２０の表面に設けてもよい。
【００３３】
ボールスタッド１００は、一体成形されているため、ボールスタッド１００の強度を維持することができる。また表面全体に防錆コーティングされているため、ボールスタッド１００の地肌が露出している部分がなくなり、ダストカバー４００の内側に水や塩水などが浸入した場合でも、錆に対して耐性のあるボールスタッド１００を構成することができる。その結果、錆などによりボールスタッド１００が破損するのを防止することができる。
【００３４】
ボールスタッド１００は、ねじ部１４０が形成されたボールスタッド１００の先端部を図示省略した取付部材に形成された孔に通し、ねじ部１４０に図示省略したナットをねじ込んで取付部材に締め付けることにより、ボールスタッド１００のフランジ部１３０とナットで取付部材を挟んで締結される。
【００３５】
軸支部材２００は、図１に示すように、ボールシート２１０と、このボールシート２１０を収容する金属製のハウジング２２０とから構成されている。ボールシート２１０は、上端縁に鍔部２１１を有する有底円筒状であり、その内部には球面上の凹部２１２が形成され、外側底面にボールシート２１０をハウジング２２０に固定するための熱かしめ部２１３を有している。ボールシート２１０は、ポリアセタールやポリブチレンテレフタレートなどの硬質樹脂で形成されている。
【００３６】
凹部２１２には、図６に示すように、複数のグリース流通路２１４を設けている。また、凹部２１２には、図示省略したグリースを充填している。そのため、グリース流通路２１４に充填されたグリースが樹脂ボール部材３００の上下に形成された空間間を樹脂ボール部材３００の側面のグリース流通路２１４を伝いながら行きかう。そのため、グリースが奪った熱を放熱し、また、熱を吸収するという熱循環の働きをする。その結果、樹脂ボール部材３００が溶解するのを防止する。
【００３７】
ハウジング２２０は、上端縁に鍔部２２１を有する有底円筒状で、底面にボールシート２１０の熱かしめ部２１３が挿入される孔部２２２を有し、その外周壁にはハウジング２２０の径方向に延びるサポートバー２３０の一端が固着されている。ボールシート２１０は、ボールシート２１０に設ける熱かしめ部２１３をハウジング２２０の孔部２２２に嵌合させた状態で熱かしめ部２１３を熱でかしめ、ハウジング２２０に固定される。
【００３８】
樹脂ボール部材３００は、摺動特性に優れながら高い耐熱性を有している熱硬化性合成樹脂材料または熱可塑性合成樹脂材料で成形されている。例えば、樹脂ボール部材３００は、ポフェニレンサルファイド系あるいはポリエーテルエーテルケトンなどで成形されている。樹脂ボール部材３００の中心は、スタッド部１１０の軸線Ｏ上に位置している。樹脂ボール部材３００は、図２に示すように、要求球径になるようにボール部１２０を覆っている。
【００３９】
そのため、樹脂の方が鋼などの金属に比べて材料密度が小さいので、例えば、凹部２１２に接触する部分を鋼製のボール部で１６ｍｍΦとするボールスタッドに比べて、ボール部１２０と樹脂ボール部材３００で１６ｍｍΦとした場合、１ｇ〜１．５ｇの軽量化を図ることができる。
【００４０】
樹脂ボール部材３００は、球部３１０と、上部３２０と、下部３３０とを有している。球部３１０は、ボール部１２０の側面を覆う部分である。球部３１０は、中心がスタッド部１１０の軸線Ｏ上に位置するように、ボール部１２０の側面の形状と相似形状に形成されている。つまり、球部３１０は、厚さが均一になるように形成されている。
【００４１】
球部３１０がこのように形成されることによって、樹脂ボール部材３００の離型後の熱収縮量が樹脂ボール部材３００の球部３１０上でばらつき、樹脂ボール部材３００がゆがむのを防止することができる。そのため、樹脂ボール部材３００の真球度を高めることができる。その結果、重要特性であるトルクを得ることができ、樹脂ボール部材３００が滑らかに摺動および揺動運動することができる。また、球部３１０の厚さが均一となるため、樹脂ボール部材３００とボールシート２１０との間で樹脂ボール部材３００が摺動および揺動運動することによる摩擦熱によって、樹脂ボール部材３００の一部分が高温になるのを防止する。その結果、樹脂ボール部材３００の溶解などのトラブルを防止することができる。つまり、信頼性を高めることができる。
【００４２】
球部３１０の厚さは、具体的には、０．５ｍｍ〜２．０ｍｍである。球部３１０の厚さは、樹脂ボール部材３００を構成する材料や樹脂ボール部材３００の成形時に支障が生じないような条件などにより適時変更することができ、できるだけ薄く形成する。このように、球部３１０の厚さを所定の厚さにすることによって、樹脂ボール部材３００とボールシート２１０との間で樹脂ボール部材３００が摺動および揺動運動することによる摩擦熱を速やかに内包するボール部１２０に伝え、ボールシート２１０外にあるボールスタッド１００のテーパー部１６０から放熱する。その結果、樹脂ボール部材３００が高温になるのを抑制し、樹脂ボール部材３００の溶解などのトラブルを防止することができる。
【００４３】
上部３２０は、ボール部１２０の上側を覆うとともに、スタッド部１１０のテーパー部１６０を覆う部分である。上部３２０の厚さは、球部３１０の厚さより厚くしている。上部３２０の厚さは、具体的には、０．７ｍｍ〜３．０ｍｍである。したがって、ボールスタッド１００をボールシート２１０から引き抜く方向に働く外力などに抗する。そのため、ボールスタッド１００がボールシート２１０から外れにくい。その結果、ボールスタッド１００がボールシート２１０から外れるのを防止することができる。
【００４４】
下部３３０は、ボール部１２０の下側を覆う部分である。下部３３０の厚さは、所定の厚さに形成されている。下部３３０の端部および上部３１０の端部は、滑らかなＲ形状に形成されている。そのため、樹脂ボール部材３００が滑らかに摺動および揺動運動することができる。
【００４５】
樹脂ボール部材３００は、上側に形成された平坦な上部フラット部３４０と、下側に形成された平坦な下部フラット部３５０とを有している。そのため、樹脂ボール部材３００を可能な限り小さく形成することができ、ボールスタッド１００をボールシート２１０の底部側へ寄せて配置することができる。その結果、ボール部１２０の中心は、サポートバー２３０の中心線上に配置され、サポートバー２３０に曲げモーメントが発生するのを防止することができる。さらに、ボールスタッド１００のスタッド部１１０にテーパー部１６０を形成しているから、その揺動角度が確保されるという利点もある。
【００４６】
樹脂ボール部材３００は、図１に示すように、ボールシート２１０の凹部２１２に摺動自在に嵌合されている。これにより、ボールスタッド１００は、ボールシート２１０に対しボール部１２０を中心としてユニバーサルに、すなわち首振り回転および軸回り回転自在に軸支されている。
【００４７】
ダストカバー４００は、図１に示すように、ゴム製で笠状に形成されており、大径側の端縁がボールシート２１０の鍔部２１１とハウジング２２０の鍔部２２１との間に挟まれて固定され、小径側の端縁がボールスタッド１００のフランジ部１３０に掛止され、凸部１５０にずれを止められて固定されている。そのため、シール性が確保され、ボールシート２１０の凹部２１２にゴミが侵入するのを防止している。
【００４８】
ダストカバー４００の内側には、グリースＧが充填されている。つまり、グリースＧがボールスタッド１００のテーパー部１６０などを覆う状態となっている。そのため、ボールスタッド１００が放熱する際に、ダストカバー４００内においても、空気を介してダストカバー４００から外界へという具合に断熱性の高い空気を媒介にするのではなく、グリースＧを介して伝熱するため、ボールスタッド１００の熱をダストカバー４００の内側から外界へ効率的に放熱することができる。
【００４９】
（樹脂ボール部材を備えるボールスタッドの製造方法）
次に、樹脂ボール部材３００を備えるボールスタッド１００の製造方法について説明する。
【００５０】
樹脂ボール部材３００を備えるボールスタッド１００の製造方法は、大まかに、金属材料をボールスタッド１００の形状に一体成形する成形工程と、ボールスタッド１００の表面全体に防錆コーティングする防錆コーティング工程と、ボールスタッド１００のボール部１２０を樹脂ボール部材３００で覆う樹脂成形工程との３工程からなる。
【００５１】
まず、成形工程を行う。成形工程では、まず、棒状の金属材料を金型にセットした状態で、金属材料を軸線方向に加圧することにより、一体成形されるボールスタッド１００の基本的な形状とフランジ部１３０が成形される圧造工程を行う。そして、ボール部１２０のみ設計要求値である球径より小さく切削する。次に、基本的な形状に形成された金属材料に焼入れ・焼戻し等の熱処理を実施し、所定の硬さに調質される熱処理工程を行う。次に、ショットブラストによりばりの除去や表面研削などの研削工程を行う。
【００５２】
次に、フランジ部１３０からテーパー部１６０までのスタッド部１１０を仕上げる切削工程を行う。このとき、必要に応じて窪み５２１、突起６２１またはライン溝７２１などが成形される。最後に、ねじ部１４０を成形するねじ転造工程を行う。この成形工程により、ボールスタッド１００が一体成形される。
【００５３】
成形工程の後、ボールスタッド１００の表面全体に防錆コーティングする防錆コーティング工程を行う。以上のような、成形工程および防錆コーティング工程によりボールスタッド１００が完成する。
【００５４】
防錆コーティング工程の後、樹脂ボール部材３００を成形する樹脂成形工程を行う。樹脂成形工程では、ボールスタッド１００のボール部１２０を含む領域を射出成形用の型にセットし、この型の内部に合成樹脂材料を射出することによって、樹脂ボール部材３００が成形される。いわゆるインサート成形である。このとき、ボール部１２０の側面の形状と相似形状の球部３１０を有しかつ中心をスタッド部１１０の軸線Ｏ上に位置させ、ボール部１２０を覆うように樹脂ボール部材３００が成形される。以上のような３工程により樹脂ボール部材３００を備えるボールスタッド１００が完成する。
【００５５】
この製造方法によれば、ボール部１２０を樹脂ボール部材３００で覆うことによって、鋼製のボールスタッド１００の表面処理を行ってもその後にボール部１２０の仕上げなど、ボールスタッド１００に対する工程が樹脂成形工程以外不要になる。そのため、ボール部１２０の仕上げなどの煩雑な工程を省くことができる。その結果、低コストでボールジョイント１０を製造することができる。
【００５６】
また、防錆コーティング工程の後に樹脂成形工程を行うため、ボールスタッド１００の地肌が露出している部分がなくなり、ダストカバー４００の内側に水や塩水などが浸入した場合でも、錆に対して耐性のあるボールジョイント１０を構成することができる。そのため、錆によりボールシート２１０の凹部２１２が摩耗し、がたが発生するのを防止することができる。その結果、信頼性の高いボールジョイント１０を製造することができる。
【００５７】
さらに、予め、射出成形用の型の型形状において、上部フラット部３４０の端部および下部フラット部３５０の端部のＲ形状を設定しておけば、上部フラット部３４０の端部および下部フラット部３５０の端部において、滑らかなラインを確保することができる。そのため、樹脂ボール部材３００が滑らかに摺動および揺動運動することができる。
【産業上の利用可能性】
【００５８】
本発明は、自動車等の車両に搭載されるスタビライザーに利用することができる。
【図面の簡単な説明】
【００５９】
【図１】ボールジョイントを示す図である。
【図２】ボール部の周辺を拡大して示す拡大図である。
【図３】ボールスタッドの第１の変形例を示す図である。
【図４】ボールスタッドの第２の変形例を示す図である。
【図５】ボールスタッドの第３の変形例を示す図である。
【図６】ボールシートを示す斜視図である。
【符号の説明】
【００６０】
１０…ボールジョイント、１１０…スタッド部、１２０…ボール部、１６０…テーパー部、２１０…ボールシート、２１２…凹部、２１４…グリース流通路、３００…樹脂ボール部材、３１０…球部、３２０…上部、３４０…上部フラット部、３５０…下部フラット部、４００…ダストカバー、５２１…窪み、６２１…突起、７２１…ライン溝、Ｇ…グリース、Ｏ…軸線。
【図１】
2009250251.tif 000003
【図２】
2009250251.tif 000004
【図３】
2009250251.tif 000005
【図４】
2009250251.tif 000006
【図５】
2009250251.tif 000007
【図６】
2009250251.tif 000008